(57)【特許請求の範囲】
【請求項１】
データ層基板、及び、前記データ層基板の上面側に積層される半透過膜であるデータ層反射膜を備えるデータ層と、
前記データ層を介して視認可能な表示パターンが形成された表示層基板、及び、前記表示層基板の下面側に積層された表示層反射膜を備える表示層と、
前記データ層の上面と前記表示層の下面とを接着する中間層と
を備え、
前記表示層基板には、
前記表示層基板の下面において高さ方向に凸にダミーピットが形成され、
前記表示層基板の下面において深さ方向に凸に前記表示パターンが形成され、
前記表示パターンの深さの値が、前記ダミーピットの高さの値より大きく形成されている、
ことを特徴とする光ディスク。
【請求項２】
データ層基板、及び、前記データ層基板の上面側に積層される半透過膜であるデータ層反射膜を備えるデータ層と、
前記データ層を介して視認可能な表示パターンが形成された表示層基板、及び、前記表示層基板の下面側に積層された表示層反射膜を備える表示層と、
前記データ層の上面と前記表示層の下面とを接着する中間層と
を備え、
前記データ層における前記表示パターンを含む表示領域と重畳する領域の記録ピットは、前記表示領域と重畳しない領域の記録ピットよりも、幅が広いピット、或いは傾斜角が大きいピットである、
ことを特徴とする光ディスク。
【請求項３】
データ層基板、及び、前記データ層基板の上面側に積層される半透過膜であるデータ層反射膜を備えるデータ層と、
前記データ層を介して視認可能な表示パターンが形成された表示層基板、及び、前記表示層基板の下面側に積層された表示層反射膜を備える表示層と、
前記データ層の上面と前記表示層の下面とを接着する中間層と
を備え、
前記表示層基板には、
前記データ層に記録されているデータを再生するための鍵情報が記録されているとともに、前記表示パターンが形成されている表示領域に挟まれた鍵記録領域と、
前記表示領域及び鍵記録領域よりも、内周側又は外周側に形成され、前記鍵記録領域の位置を示す情報が記録されるリードイン領域と
が形成されている、
ことを特徴とする光ディスク。
【請求項４】
データ層基板、及び、前記データ層基板の上面側に積層される半透過膜であるデータ層反射膜を備えるデータ層と、
前記データ層を介して視認可能な表示パターンが形成された表示層基板、及び、前記表示層基板の下面側に積層された表示層反射膜を備える表示層と
を備える光ディスクの製造方法であって、
スタンパに、前記表示パターンを成形する表示パターン成形部を形成する工程と、
前記表示パターン成形部が形成された前記スタンパによって、透明樹脂を射出成形することにより、前記表示層基板を成形する工程と、
前記表示層基板の下面に、前記表示層反射膜を積層する工程と、
前記データ層基板の上面に、前記データ層反射膜を、半透過膜となるような厚さで積層する工程と、
前記データ層の上面と前記表示層の下面とを接着する工程と
を含み、
前記表示層基板に、
前記表示層基板の下面において高さ方向に凸にダミーピットを形成し、
前記表示層基板の下面において深さ方向に凸に前記表示パターンを形成し、
前記表示パターンの深さの値を、前記ダミーピットの高さの値より大きく形成する、
ことを特徴とする光ディスクの製造方法。
【請求項５】
データ層基板、及び、前記データ層基板の上面側に積層される半透過膜であるデータ層反射膜を備えるデータ層と、
前記データ層を介して視認可能な表示パターンが形成された表示層基板、及び、前記表示層基板の下面側に積層された表示層反射膜を備える表示層と
を備える光ディスクの製造方法であって、
スタンパに、前記表示パターンを成形する表示パターン成形部を形成する工程と、
前記表示パターン成形部が形成された前記スタンパによって、透明樹脂を射出成形することにより、前記表示層基板を成形する工程と、
前記表示層基板の下面に、前記表示層反射膜を積層する工程と、
前記データ層基板の上面に、前記データ層反射膜を、半透過膜となるような厚さで積層する工程と、
前記データ層の上面と前記表示層の下面とを接着する工程と
を含み、
前記データ層における前記表示パターンを含む表示領域と重畳する領域の記録ピットを、前記表示領域と重畳しない領域の記録ピットよりも、幅が広いピット、或いは傾斜角が大きいピットにする、
ことを特徴とする光ディスクの製造方法。
【請求項６】
データ層基板、及び、前記データ層基板の上面側に積層される半透過膜であるデータ層反射膜を備えるデータ層と、
前記データ層を介して視認可能な表示パターンが形成された表示層基板、及び、前記表示層基板の下面側に積層された表示層反射膜を備える表示層と
を備える光ディスクの製造方法であって、
スタンパに、前記表示パターンを成形する表示パターン成形部を形成する工程と、
前記表示パターン成形部が形成された前記スタンパによって、透明樹脂を射出成形することにより、前記表示層基板を成形する工程と、
前記表示層基板の下面に、前記表示層反射膜を積層する工程と、
前記データ層基板の上面に、前記データ層反射膜を、半透過膜となるような厚さで積層する工程と、
前記データ層の上面と前記表示層の下面とを接着する工程と
を含み、
前記表示層基板には、
前記データ層に記録されているデータを再生するための鍵情報が記録されているとともに、前記表示パターンが形成されている表示領域に挟まれた鍵記録領域と、
前記表示領域及び鍵記録領域よりも、内周側又は外周側に形成され、前記鍵記録領域の位置を示す情報が記録されるリードイン領域と
が形成される、
ことを特徴とする光ディスクの製造方法。
【請求項７】
光ディスクを再生する再生装置において、
前記光ディスクは、
データ層基板、及び、前記データ層基板の上面側に積層される半透過膜であるデータ層反射膜を備えるデータ層と、
前記データ層を介して視認可能な表示パターンが形成された表示層基板、及び、前記表示層基板の下面側に積層された表示層反射膜を備える表示層と、
前記データ層の上面と前記表示層の下面とを接着する中間層と
を有し、
前記再生装置は、
前記表示パターンを撮像するイメージセンサと、
前記イメージセンサが撮像する前記表示パターンの画像情報に基づいて、前記光ディスクの再生を制御する処理部と
を備えることを特徴とする再生装置。
【請求項８】
光ディスクを再生する再生装置において、
前記光ディスクは、
データ層基板、及び、前記データ層基板の上面側に積層される半透過膜であるデータ層反射膜を備えるデータ層と、
前記データ層を介して視認可能な表示パターンが形成された表示層基板、及び、前記表示層基板の下面側に積層された表示層反射膜を備える表示層と、
前記データ層の上面と前記表示層の下面とを接着する中間層と
を有するとともに、
前記表示層基板には、
前記データ層に記録されているデータを再生するための鍵情報が記録されているとともに、前記表示パターンが形成されている表示領域に挟まれた鍵記録領域と、
前記表示領域及び鍵記録領域よりも、内周側又は外周側に形成され、前記鍵記録領域の位置を示す情報が記録されるリードイン領域と
が形成されており、
前記再生装置は、
前記鍵記録領域に記録されている鍵情報に基づいて、前記光ディスクを再生する処理部、
を備えることを特徴とする再生装置。
【発明の詳細な説明】
【技術分野】
【０００１】
本発明は、データ記録領域面側にパターン（図案や模様等）を表示する光ディスク、その製造方法及び再生装置に関する。
【背景技術】
【０００２】
コンパクトディスク（ＣＤ）、デジタルバーサタイルディスク（ＤＶＤ）、ブルーレイディスク（ＢＤ）等の光ディスクにおいて、一般に、片面に印刷等がされてレーベル等の表示が付されており、他方の面が光ピックアップによるデータ読み取り面として用いられる。
【０００３】
特許文献１では、両面式の光ディスクにおいて、片方のデータ読み取り面の一部に、印刷や、ピットでパターンを形成するピットアート法等によりレーベルを付す技術が提案されている。
【先行技術文献】
【特許文献】
【０００４】
【特許文献１】特開平１０−１６２４３７号公報
【発明の概要】
【発明が解決しようとする課題】
【０００５】
従来の光ディスクは、データ読み取り面の、データが記録される領域にパターンを表示するものではなかった。
【０００６】
本発明は、データが記録されるデータ層を介して、視認可能なパターンを表示する光ディスク、その製造方法及び再生装置を提供することを目的とする。
【課題を解決するための手段】
【０００７】
上記目的を達成するために、本発明の第１の態様は、データ層基板（１１）、及び、データ層基板（１１）の上面側に積層される半透過膜であるデータ層反射膜（１２）を備えるデータ層（１１，１２）と、データ層（１１，１２）を介して視認可能な表示パターン（２４）が形成された表示層基板（２１）、及び、表示層基板（２１）の下面側に積層された表示層反射膜（２２）を備える表示層（２１，２２）と、データ層（１１，１２）の上面と表示層（２１，２２）の下面とを接着する中間層（３０）とを備え、表示層基板（２１）には、表示層基板（２１）の下面において高さ方向に凸にダミーピット（２３）が形成され、表示層基板（２１）の下面において深さ方向に凸に表示パターンが形成され、
表示パターン（２４）の深さの値が、ダミーピット（２３）の高さの値より大きく形成されている光ディスク（１，１ａ）であることを要旨とする。
本発明の第２の態様は、データ層基板（１１）、及び、データ層基板（１１）の上面側に積層される半透過膜であるデータ層反射膜（１２）を備えるデータ層（１１，１２）と、データ層（１１，１２）を介して視認可能な表示パターン（２４）が形成された表示層基板（２１）、及び、表示層基板（２１）の下面側に積層された表示層反射膜（２２）を備える表示層（２１，２２）と、データ層（１１，１２）の上面と表示層（２１，２２）の下面とを接着する中間層（３０）とを備え、データ層（１１，１２）における表示パターン（２４）を含む表示領域Ａと重畳する領域の記録ピット（１３）は、表示領域Ａと重畳しない領域の記録ピット（１３）よりも、幅が広いピット、或いは傾斜角が大きいピットである光ディスク（１，１ａ）であることを要旨とする。
本発明の第３の態様は、データ層基板（１１）、及び、データ層基板（１１）の上面側に積層される半透過膜であるデータ層反射膜（１２）を備えるデータ層（１１，１２）と、データ層（１１，１２）を介して視認可能な表示パターン（２４）が形成された表示層基板（２１）、及び、表示層基板（２１）の下面側に積層された表示層反射膜（２２）を備える表示層（２１，２２）と、データ層（１１，１２）の上面と表示層（２１，２２）の下面とを接着する中間層（３０）とを備え、表示層基板（２１）には、データ層（１１，１２）に記録されているデータを再生するための鍵情報が記録されているとともに、表示パターン（２４）が形成されている表示領域Ａに挟まれた鍵記録領域と、表示領域Ａ及び鍵記録領域よりも、内周側又は外周側に形成され、鍵記録領域の位置を示す情報が記録されるリードイン領域とが形成されている光ディスク（１ａ）であることを要旨とする。
【０００８】
本発明の第４の態様は、データ層基板、及び、データ層基板の上面側に積層される半透過膜であるデータ層反射膜を備えるデータ層と、データ層を介して視認可能な表示パターンが形成された表示層基板、及び、表示層基板の下面側に積層された表示層反射膜を備える表示層とを備える光ディスクの製造方法であって、スタンパに、表示パターンを成形する表示パターン成形部を形成する工程（Ｓ５）と、表示パターン成形部が形成されたスタンパによって、透明樹脂を射出成形することにより、表示層基板を成形する工程（Ｓ６）と、表示層基板の下面に、表示層反射膜を積層する工程（Ｓ７）と、データ層基板の上面に、データ層反射膜を、半透過膜となるような厚さで積層する工程と、データ層の上面と表示層の下面とを接着する工程とを含み、表示層基板に、表示層基板の下面において高さ方向に凸にダミーピットを形成し、表示層基板の下面において深さ方向に凸に表示パターンを形成し、表示パターンの深さの値を、ダミーピットの高さの値より大きく形成する光ディスクの製造方法であることを要旨とする。
本発明の第５の態様は、データ層基板、及び、データ層基板の上面側に積層される半透過膜であるデータ層反射膜を備えるデータ層と、データ層を介して視認可能な表示パターンが形成された表示層基板、及び、表示層基板の下面側に積層された表示層反射膜を備える表示層とを備える光ディスクの製造方法であって、スタンパに、表示パターンを成形する表示パターン成形部を形成する工程（Ｓ５）と、表示パターン成形部が形成されたスタンパによって、透明樹脂を射出成形することにより、表示層基板を成形する工程（Ｓ６）と、表示層基板の下面に、表示層反射膜を積層する工程（Ｓ７）と、データ層基板の上面に、データ層反射膜を、半透過膜となるような厚さで積層する工程と、データ層の上面と表示層の下面とを接着する工程とを含み、データ層における表示パターンを含む表示領域と重畳する領域の記録ピットを、表示領域と重畳しない領域の記録ピットよりも、幅が広いピット、或いは傾斜角が大きいピットにする光ディスクの製造方法であることを要旨とする。
本発明の第６の態様は、データ層基板、及び、データ層基板の上面側に積層される半透過膜であるデータ層反射膜を備えるデータ層と、データ層を介して視認可能な表示パターンが形成された表示層基板、及び、表示層基板の下面側に積層された表示層反射膜を備える表示層とを備える光ディスクの製造方法であって、スタンパに、表示パターンを成形する表示パターン成形部を形成する工程（Ｓ５）と、表示パターン成形部が形成されたスタンパによって、透明樹脂を射出成形することにより、表示層基板を成形する工程（Ｓ６）と、表示層基板の下面に、表示層反射膜を積層する工程（Ｓ７）と、データ層基板の上面に、データ層反射膜を、半透過膜となるような厚さで積層する工程と、データ層の上面と表示層の下面とを接着する工程とを含み、表示層基板には、データ層に記録されているデータを再生するための鍵情報が記録されているとともに、表示パターンが形成されている表示領域に挟まれた鍵記録領域と、表示領域及び鍵記録領域よりも、内周側又は外周側に形成され、鍵記録領域の位置を示す情報が記録されるリードイン領域とが形成される光ディスクの製造方法であることを要旨とする。
本発明の第７の態様は、光ディスク（１，１ａ）を再生する再生装置（５，５ａ）において、光ディスク（１，１ａ）は、データ層基板（１１）、及び、データ層基板（１１）の上面側に積層される半透過膜であるデータ層反射膜（１２）を備えるデータ層（１１，１２）と、データ層（１１，１２）を介して視認可能な表示パターン（２４）が形成された表示層基板（２１）、及び、表示層基板（２１）の下面側に積層された表示層反射膜（２２）を備える表示層（２１，２２）と、データ層（１１，１２）の上面と表示層（２１，２２）の下面とを接着する中間層（３０）とを有し、再生装置（５，５ａ）は、表示パターン（２４）を撮像するイメージセンサ（５４）と、イメージセンサ（５４）が撮像する表示パターン（２４）の画像情報に基づいて、光ディスク（１，１ａ）の再生を制御する処理部（５０）とを備えることを特徴とする再生装置（５，５ａ）であることを要旨とする。
本発明の第８の態様は、光ディスク（１，１ａ）を再生する再生装置（５，５ａ）において、光ディスク（１，１ａ）は、データ層基板（１１）、及び、データ層基板（１１）の上面側に積層される半透過膜であるデータ層反射膜（１２）を備えるデータ層（１１，１２）と、データ層（１１，１２）を介して視認可能な表示パターン（２４）が形成された表示層基板（２１）、及び、表示層基板（２１）の下面側に積層された表示層反射膜（２２）を備える表示層（２１，２２）と、データ層（１１，１２）の上面と表示層（２１，２２）の下面とを接着する中間層（３０）とを有するとともに、
表示層基板（２１）には、データ層（１１，１２）に記録されているデータを再生するための鍵情報が記録されているとともに、表示パターン（２４）が形成されている表示領域Ａに挟まれた鍵記録領域と、表示領域Ａ及び鍵記録領域よりも、内周側又は外周側に形成され、鍵記録領域の位置を示す情報が記録されるリードイン領域とが形成されており、再生装置（５，５ａ）は、鍵記録領域に記録されている鍵情報に基づいて、光ディスク（１，１ａ）を再生する処理部（５０，５０ａ）、を備える再生装置であることを要旨とする。
【発明の効果】
【０００９】
本発明によれば、データが記録されるデータ層を介して、視認可能なパターンを表示できる。
【図面の簡単な説明】
【００１０】
【図１】本発明の第１の実施の形態に係る光ディスクの基本的な構成を説明する模式的な拡大断面図である。
【図２】２層式ＤＶＤの反射膜の反射率、素材を説明する表である。
【図３】本発明の第１の実施の形態に係る光ディスクの反射膜の反射率、素材を説明する表である。
【図４】本発明の第１の実施の形態に係る光ディスクの製造方法を説明するフローチャートである。
【図５】（ａ）、（ｂ）、（ｃ）は、本発明の第１の実施の形態に係る光ディスクの製造方法を説明する工程断面図である。
【図６】（ｄ）、（ｅ）、（ｆ）は、本発明の第１の実施の形態に係る光ディスクの製造方法を説明する工程断面図である。
【図７】本発明の第１の実施の形態に係る光ディスクの表示パターンを含む領域を説明する上面図である。
【図８】本発明の第１の実施の形態に係る光ディスクの記録ピット周辺を説明する模式的な拡大断面図である。
【図９】本発明の第１の実施の形態に係る光ディスクの再生装置の、基本的な構成を説明する模式的なブロック図である。
【図１０】本発明の第１の実施の形態に係る光ディスクの再生装置の動作を説明するフローチャートである。
【図１１】本発明の第２の実施の形態に係る光ディスクのデータ構造を説明する模式的な図である。
【図１２】本発明の第２の実施の形態に係る光ディスクの再生装置の、基本的な構成を説明する模式的なブロック図である。
【図１３】本発明の第２の実施の形態に係る光ディスクの再生装置の動作を説明するフローチャートである。
【発明を実施するための形態】
【００１１】
次に、図面を参照して、本発明の第１及び第２の実施の形態を説明する。以下の図面の記載において、同一又は類似の部分には同一又は類似の符号を付している。但し、図面は模式的なものであり、厚みと平面寸法との関係、各層の厚みの比率、断面図における形状等は現実のものとは異なることに留意すべきである。したがって、具体的な厚みや寸法は以下の説明を参酌して判断すべきものである。又、図面相互間においても互いの寸法の関係や比率が異なる部分が含まれていることは勿論である。
【００１２】
又、以下に示す第１及び第２の実施の形態は、本発明の技術的思想を具体化するための装置や方法を例示するものであって、本発明の技術的思想は、構成部品の材質、形状、構造、配置、製造方法等を下記のものに特定するものでない。本発明の技術的思想は、特許請求の範囲に記載された技術的範囲内において、種々の変更を加えることができる。例えば、データ記録領域面側にパターン（図案や模様等）を表示する光ディスクであればよく、片面ディスクでもよいし、両面ディスクでもよい。
【００１３】
又、以下の説明において、一例として、光ディスク１を水平面と平行にした状態において下から上へ、データ層（Ｌ０層）（１１，１２）、中間層３０、表示層（Ｌ１層）（２１，２２）、印刷層３１の順番で構成されているものとする。つまり、データ読み取り側を下とする。又、便宜的に、物理的に凹であるか凸であるかに係らず、上方向に凸となっている部分を高さ、下方向に凸となっている部分を深さで表すものとする。
【００１４】
（第１の実施の形態）
本発明の第１の実施の形態に係る光ディスク１は、図１に示すように、光ピックアップ５１による読み取り可能なデータが記録されたデータ層（Ｌ０層）（１１，１２）と、データ層（１１，１２）を介して視認可能な表示パターン２４を表示する表示層（Ｌ１層）（２１，２２）とを備える光記録媒体である。この表示パターン２４で、データ読み取り面側から視認可能な図案や模様等が描かれている。
【００１５】
データ層（１１，１２）は、上面に形成された記録ピット１３によりデータが記録されたデータ層基板１１と、データ層基板１１の上面に積層されたデータ層反射膜１２とを備える。データ層（１１，１２）の上面の、記録ピット１３が形成されない領域は、平滑なランド部１５となっている。
【００１６】
表示層（２１，２２）は、下面に、ダミーピット２３及び表示パターン２４が形成された表示層基板２１と、表示層基板２１の下面に積層された表示層反射膜２２とを備える。表示層（２１，２２）の下面の、ダミーピット２３、表示パターン２４が形成されない領域は、平滑なランド部２５となっている。データ層基板１１及び表示層基板２１は、例えば、ポリカーボネート等の透明材料からなる。
【００１７】
光ピックアップ５１は、例えば、波長６５０ｎｍのレーザ光を光ディスク１に出射し、データ層反射膜１２からの反射光を検出することにより、データ層（１１，１２）に記録されたデータを読み取る。
【００１８】
一般に、１層式（シングルレイヤ）ＤＶＤの反射膜は、図２に示すように、例えばアルミニウム（Ａｌ）からなり、反射率の規格が４５〜８５％である。また、２層式（デュアルレイヤ）ＤＶＤの反射膜は、１層目（Ｌ０層）の反射膜が例えば銀（Ａｇ）からなり、反射率の規格が１８〜３０％、２層目（Ｌ１層）の反射膜が例えばＡｌからなり、反射率の規格が１８〜３０％である。
【００１９】
光ディスク１は、データ層（１１，１２）が１層のみである１層式の記録フォーマットとなっているが、表示層（２１，２２）に形成された表示パターン２４を、下方から、データ層（１１，１２）を介して視認可能とするため、図３に示すように、データ層反射膜１２にＡｇを採用している。更に、データ層反射膜１２は、反射率が１層式ディスクの反射率規格４５〜８５％内で、表示パターン２４を、データ層（１１，１２）を介して視認可能とするため、反射率が約４５〜６０％程度、好適には約４５〜５５％程度、更に好適には約５０％程度となるように、厚さが調整されている。なお、以上の数値は一例であり、データ層反射膜１２は、表示パターン２４を、データ層（１１，１２）を介して視認可能とする反射率や材料であればよい。つまり、データ層反射膜１２は、いわゆる半透過膜となっていればよく、少なくとも、可視光の一部を透過させ、光ピックアップ５１のレーザ光の一部を反射する膜であればよい。なお、データ層反射膜１２を上記の数値や材料とすることによって、より好適にデータ層（１１，１２）を介して視認可能とすることができる。
【００２０】
表示層（２１，２２）に形成されたダミーピット２３は、例えば、ランダムなピットにより、螺旋状又は同心円状に形成されることができ、入射する光に対し、乱反射、回折を生じさせる。表示パターン２４は、例えば、ダミーピット２３が除去された領域と、ダミーピット２３の領域との間のコントラストにより、視認される。ダミーピット２３は光を乱反射するよう構成されているので、表示パターン２４の視認時、ダミーピット２３が形成されず鏡面反射を生じさせる面に表示パターン２４が形成される場合と比して、反射光が生じさせるグレア現象が抑制され、表示パターン２４のコントラストが明確になり、視認性がより向上する。なお、コントラストは低くなるが、ダミーピット２３を設けない構成としてもよい。また、ダミーピット２３は、ＤＶＤやＢＤの規格に基づいた長さのピットであってもよい。ＤＶＤやＢＤの規格に基づいた長さのピットであれば、既存の設備で製造し易い。また、ダミーピット２３は、光ピックアップ５１によって読み取りが不可能でもよいし、読み取り可能でもよい。
【００２１】
データ層（１１，１２）と表示層（２１，２２）との間は、透明な紫外線硬化樹脂等の中間層３０により接着されている。光ディスク１の上面は、例えば、印刷層３１によりレーベル等が印刷され、レーベル面をなす。
【００２２】
第１の実施の形態に係る光ディスク１によれば、１層式の記録フォーマットで記録されたデータ層（１１，１２）のデータ層反射膜１２の反射率が調節されているので、データ層（１１，１２）を介して、表示層（２１，２２）の表示パターン２４をデータ読み取り面側から視認可能に表示できる。
【００２３】
第１の実施の形態に係る光ディスク１によれば、データが記録されたデータ層（１１，１２）を介して、表示パターン２４を表示できるため、一般のリッピングソフトウェア等による、表示パターン２４を含めた複製が極めて困難であり、目視により正規品と複製品とを識別でき、偽造を防止することができるという効果もある。
【００２４】
また、第１の実施の形態に係る光ディスク１は、データ層（１１，１２）を介して表示パターン２４を表示できるため、読み取り面が美麗であり、また、データの内容に関連したパターンを表示することにより、読み取り面からディスクを識別することができる。
【００２５】
＜光ディスク１製造方法＞  
図４のフローチャートを用いて、第１の実施の形態に係る光ディスク１の製造方法の一例を、図５（ａ）〜（ｃ）、図６（ｄ）〜（ｆ）を参照しながら説明する。また、光ディスク１の細部についても説明する。なお、図５（ａ），（ｂ）においては、ガラス基板４０側を下、図５（ｃ）においてはスタンパ４２側を下とする。また、図６（ｄ）〜（ｆ）においては、表示基板２１側を上とする。また、深さｐ及び高さｑは、ランド形成部４５を基準面としているものとし、深さｐ１及び高さｑ１は、ランド部２５を基準面としているものとする。
【００２６】
先ず、ステップＳ１において、図５（ａ）に示すように、ガラス基板４０は、フォトレジスト液を塗布（スピンコート）された後、熱処理（ベーキング）されることにより、フォトレジスト膜４１が被覆される。
【００２７】
ステップＳ２において、フォトレジスト膜４１は、レーザビームレコーダ（ＬＢＲ）６１により、ダミーピット２３のピットパターンが露光処理（レーザカッティング）される。
【００２８】
ステップＳ３において、フォトレジスト膜４１が、現像液を塗布されて現像され、ステップＳ２における露光部を選択的に除去されることにより、ガラス基板４０及びフォトレジスト膜４１の残余部は、ディスク原盤となる。
【００２９】
ステップＳ４において、図５（ｂ）に示すように、ディスク原盤は、スパッタリング法等により、露光処理をされた面にニッケル（Ｎｉ）等の薄膜を形成され、更にＮｉ等の電鋳を行われることにより、スタンパ４２を成形する。スタンパ４２は、ディスク原盤から剥離される。
【００３０】
ステップＳ５において、図５（ｃ）に示すように、スタンパ４２は、ＹＡＧ、ＹＶＯ４、ＣＯ２レーザ等の長波長レーザ光を出力するレーザマーカ６２により、表示層基板２１のダミーピット２３を成形するピット成形部４３が形成された面に、表示パターン２４のパターンが書き込まれ、表示層基板２１の表示パターン２４を成形する表示パターン成形部４４が形成される。図５（ｃ）に示すように、ランド部２５を成形する面であるランド成形部４５からの、表示パターン成形部４４の深さｐの値は、ピット成形部４３の高さｑの値より大きくなるように形成されている。例えば、表示パターン成形部４４の深さｐは約１０００ｎｍであり、ピット成形部４３の高さｑは約１２０ｎｍとすることができる。表示パターン成形部４４の深さｐ、ピット成形部４３の高さｑは、それぞれ表示パターン２４の深さｐ１、ダミーピット２３の高さｑ１に対応する。深さｐと深さｐ１とは、ほぼ同じ値となる。また、高さｑと高さｑ１とは、ほぼ同じ値となる。よって、表示パターン２４の深さｐ１の値は、ダミーピット２３の高さｑ１の値より大きくなるように形成されている。
【００３１】
ステップＳ６において、図６（ｄ）に示すように、スタンパ４２は、例えば、表面にポリカーボネート樹脂等の透明材料が射出され、射出成形法により、表示層基板２１が成形される。表示層基板２１は、スタンパ４２から剥離される。
【００３２】
ステップＳ７において、図６（ｅ）に示すように、表示層基板２１は、ダミーピット２３、表示パターン２４が形成された面に、スパッタリング法によりＡｌ等の金属を積層され、反射率約２４％以下となる表示層反射膜２２が形成される。表示層基板２１及び表示層反射膜２２は、表示層（２１，２２）をなす。
【００３３】
ステップＳ８において、図６（ｆ）に示すように、紫外線硬化樹脂からなる中間層３０により、表示層（２１，２２）と、データ層基板１１の上面に、Ａｇ等の金属からなるデータ層反射膜１２を、反射率が約５０％となるような厚さで積層されることにより別途製作されたデータ層（１１，１２）とを張り合わせて接着し、適宜、表示層（２１，２２）の上面に印刷等を行えば、第１の実施の形態に係る光ディスク１が完成する。
【００３４】
光ディスク１の表示パターン２４は、表示パターン２４の深さｐ１の値が、ダミーピット２３の高さｑ１の値より大きくなるように形成されているので、コントラストが明確であり、視認性が良い。
【００３５】
＜ノイズ低減処理＞
例えば、図７に示すように、表示層（２１，２２）の、例えば同心円状の表示領域Ａに含まれるように表示パターン２４が形成されている場合、データ層（１１，１２）の、表示領域Ａと重畳する領域において、光学的ノイズとなる表示層反射膜２２からの反射光を低減するノイズ低減処理を施してもよい（図７において破線のハッチングで表示領域Ａを示す）。ノイズ低減処理により、光ディスク１の再生時、再生ジッタに与える影響を最小限にすることができる。ノイズ低減処理は、表示層（２１，２２）に形成された表示パターン２４を、データ層（１１，１２）を介して視認可能な範囲で施される。なお、図７において、表示領域Ａにおいては、一様な（例えば表示パターン２４によって塗りつぶされているような状態）の表示パターン２４となっているものとする。
【００３６】
例えば、データ層基板１１における表示領域Ａと重畳する領域で、図８に示すように、記録ピット１３の幅ｈを広くすること、或いは記録ピット１３の傾斜角θを大きくして９０°に近づけることにより記録ピット１３の形状を調節して、スパッタリングによる、データ層反射膜１２となるＡｇの蓄積量を増加させることができる。よって、データ層反射膜１２は、光の透過率が低下するので、表示層反射膜２２からの反射光を低減し、光学的ノイズを低減することができる。このように、表示パターン２４と重畳する領域と重畳しない領域とで、データ層基板のピット形状を異ならせることで、より良好なデータ再生を実現できる。
【００３７】
また、ノイズ低減処理は、表示領域Ａと重畳する領域で、データ層反射膜１２の上面に、光ピックアップ５１から出射される光の透過率が低い材料（透過率低減層）を更に積層することにより施されても良い。光ピックアップ５１から出射される光の透過率が低い材料は、例えば、Ａｌを含む金属等を採用可能であり、データ層反射膜１２の上面の、表示領域Ａと重畳する領域以外をマスクし、スパッタリング等を行うことにより、データ層反射膜１２に積層される。光ピックアップ５１から出射される光の透過率が低い材料は、接着剤等であっても良い。また、表示領域Ａと重畳する領域で、データ層反射膜１２の厚さを厚くするようにしてもよい。なお、透過率低減層は、表示層反射膜２２の下側に設けてもよい。
【００３８】
また、ノイズ低減処理は、表示層反射膜２２の表示領域Ａに施された反射防止（ＡＲ）処理としても良く、ＡＲ処理により、光ピックアップ５１から出射される波長の光の反射を低減することができる。ＡＲ処理は、例えば表示層反射膜２２を試薬により粗面化よって、表示層反射膜２２から光ピックアップ５１への反射光を低減し、光学的ノイズを低減することができる。
【００３９】
このように、表示領域Ａと重畳する領域に光の透過率を低くする材料からなる層を設けたり、表示パターン２４と重畳する領域と重畳しない領域とで、データ層反射膜１２の厚さを異ならせることで、表示層反射膜２２から光ピックアップ５１への反射光を低減し、より良好なデータ再生を実現できる。
【００４０】
また、図５（ｃ）に示す表示パターン成形部４４の深さｐは、光ディスク１の中間層３０の、表示パターン２４と重畳する領域の厚さが７０μｍ以上となるような深さとされることにより、表示層反射膜２２から光ピックアップ５１への反射光を低減し、光学的ノイズを低減することができる。
【００４１】
＜光ディスク１再生装置＞
以下、光ディスク１の表示パターン２４を用いて、光ディスク１の読み取り（再生）を制御することができる光ディスク１の再生装置について説明する。
【００４２】
第１の実施の形態に係る光ディスク１の再生装置５は、図９に示すように、光ピックアップ５１と、光ピックアップ５１の駆動を制御する駆動制御部５２と、光ディスク１を回転させるスピンドルモータ５３と、表示層（２１，２２）に記録された表示パターン２４をデータ層（１１，１２）を介して撮影するイメージセンサ５４と、再生装置５が行う種々の演算を処理する処理部５０とを備える。
【００４３】
駆動制御部５２は、光ピックアップ５１の光学系の制御の他、光ディスク１の読み取り位置を変更するために、図示を省略したアクチュエータを制御し、光ピックアップ５１を、光ディスク１の半径方向に移動させる。
【００４４】
イメージセンサ５４は、例えば、光ディスク１と平行に、光ディスク１の回転軸を通る直線上に配置されたＣＣＤ一次元イメージセンサ等を採用可能である。イメージセンサ５４は、光ピックアップ５１と同様に光ディスク１の半径方向に移動されるような構成としても良い。イメージセンサ５４は、その他、ＣＣＤ、ＣＭＯＳ等の二次元イメージセンサにより、静止状態の光ディスク１を撮影するようにしても良い。
【００４５】
図１０のフローチャートを用いて、再生装置５の動作の一例を説明する。
【００４６】
先ず、ステップＳ１１において、処理部５０のパターン情報取得部５０１の制御により、イメージセンサ５４は、スピンドルモータ５３により回転され、図示を省略した光源により照明された光ディスク１の表示パターン２４を、データ層（１１，１２）を介して走査し、撮影する。パターン情報取得部５０１は、イメージセンサ５４が撮影した表示パターン２４の画像情報であるパターン情報を取得する。
【００４７】
ステップＳ１２において、処理部５０の認証判定部５０２は、認証判定部５０２が保持する所定の認証情報と、パターン情報取得部５０１が取得したパターン情報とを照合することにより、光ディスク１に対する認証処理を行う。
【００４８】
ステップＳ１３において、認証判定部５０２は、光ディスク１に対する認証の可否により、光ディスク１が正規品か否かを判定する。
【００４９】
認証判定部５０２が、光ディスク１に対する認証が成立し、光ディスク１を正規品と判定する場合、ステップＳ１４において、処理部５０の再生部５０３は、駆動制御部５２を介して光ピックアップ５１を制御し、スピンドルモータ５３により回転される光ディスク１のデータ層（２１，２２）に記録されたデータを読み取る。再生部５０３は、光ディスク１に記録されたデータが、音声、動画等の時系列データである場合、適宜、時系列データの再生に必要な処理を行う。光ディスク１に対する認証が成立せず、ステップＳ１３において、光ディスク１を正規品でないと判定する場合、処理を終了する。
【００５０】
なお、図９に示す処理部５０のパターン情報取得部５０１、認証判定部５０２、再生部５０３等は、それぞれ論理構造としての表示であり、それぞれ同一のハードウェアである演算処理装置により構成されて良く、別個のハードウェアにより構成されても構わない。
【００５１】
第１の実施の形態に係る光ディスク１の再生装置５によれば、光ディスク１に表示される表示パターン２４のパターン情報に応じて、再生の可否を判定するので、光ディスク１の複製防止に寄与することができる。
【００５２】
また、光ディスク１の表示パターン２４は、レーザマーカ６２等のレーザ光により形成可能なので、オフセット印刷、グラビア印刷により印刷されたパターンと比して高精度であり、表示パターン２４を用いた認証処理を高精度に行うことができる。
【００５３】
（第２の実施の形態）
本発明の第２の実施の形態に係る光ディスク１ａは、データ構造の概略を図１１に示すように、光ピックアップ５１が、表示層（Ｌ１層）（２１，２２）の一部を読み取ることができる構成になっている。第２の実施の形態において、第１の実施の形態と実質的に同様の構成については重複する説明を省略する。
【００５４】
光ディスク１ａの表示層（２１，２２）は、図１１に示すように、例えば内周側から、リードイン領域と、リードアウト領域と、ダミーピット２３及び表示パターン２４が記録される表示領域Ａと、リードアウト領域から離間した表示領域Ａ内の一部に、光ディスク１ａに対する認証処理に用いられる鍵情報が記録された鍵記録領域を有する。表示層（２１，２２）のリードイン領域には、表示層（２１，２２）上の、鍵記録領域の位置を示す鍵位置情報が記録されている。また、鍵記録領域はトラッキング走査することが可能になっている。また、各領域はドーナツ状の領域となっているものとする。
【００５５】
光ディスク１ａのデータ層（Ｌ０層）（１１，１２）は、内周側から、リードイン領域と、データ領域と、リードアウト領域とを有する。データ層（１１，１２）に記録されるデータは、表示層（２１，２２）の鍵記録領域に記録された鍵情報により復号可能な方式で暗号化されている。
【００５６】
光ディスク１ａのデータ層反射膜１２は、例えば、Ａｇ等の金属からなり、反射率が１８〜３０％となっている。
【００５７】
光ディスク１ａは、表示層（２１，２２）の表示パターン２４による光学的ノイズを防止するために、データ層（１１，１２）の、表示層（２１，２２）の表示領域Ａと重畳する領域Ｂで記録ピット１３の形状を変更する等、第１の実施の形態において説明したノイズ低減処理を施されても良い。また、リードイン領域を、表示領域Ａ及び鍵記録領域よりも外周側に設けてもよい。
【００５８】
第２の実施の形態に係る光ディスク１ａによれば、規則性や連続性のないダミーピット２３が形成され、通常の光ピックアップ５１によってトラッキング走査することができない表示領域Ａを有するため、一般のリッピングソフトウェア等による、鍵記録領域に記録された鍵情報を含めた複製が極めて困難であり、光ディスク１ａの複製を防止することができる。
【００５９】
また、第２の実施の形態に係る光ディスク１ａによれば、データが記録されたデータ層（１１，１２）を介して、表示パターン２４を表示できるため、一般のリッピングソフトウェア等による、表示パターン２４を含めた複製が極めて困難であり、目視により正規品と複製品とを識別でき、偽造を防止することができる。
【００６０】
また、光ディスク１ａは、データ層（１１，１２）を介して表示パターン２４を表示できるため、読み取り面が美麗であり、また、データの内容に関連したパターンを表示することにより、読み取り面からディスクを識別することができる。
【００６１】
＜光ディスク１ａ再生装置＞
第２の実施の形態に係る光ディスク１ａの再生装置５ａは、図１２に示すように、イメージセンサ５４を備えず、処理部５０ａが、パターン情報取得部５０１に代わり、鍵位置情報取得部５０４、鍵情報取得部５０５を有する点等において、第１の実施の形態に係る光ディスク１の再生装置５と異なる。
【００６２】
図１３のフローチャートを用いて、再生装置５ａの動作の一例を説明する。
【００６３】
先ず、ステップＳ２１において、処理部５０ａの鍵位置情報取得部５０４は、駆動制御部５２を介して、光ピックアップ５１の駆動を制御し、光ピックアップ５１により、光ディスク１ａの表示層（２１，２２）のリードイン領域から、鍵位置情報（半径位置やアドレス位置）を取得する。
【００６４】
ステップＳ２２において、処理部５０ａの鍵情報取得部５０５は、鍵位置情報取得部５０４が取得した鍵位置情報に基づいて、駆動制御部５２を介して光ピックアップ５１を鍵記録領域まで移動させ、光ピックアップ５１により、鍵記録領域から鍵情報を取得する。
【００６５】
ステップＳ２３において、処理部５０ａの認証判定部５０２は、認証判定部５０２が保持する所定の認証情報と、鍵情報取得部５０５が取得した鍵情報とを照合することにより、光ディスク１ａに対する認証処理を行う。
【００６６】
ステップＳ２４において、認証判定部５０２は、光ディスク１ａに対する認証の可否により、光ディスク１ａが正規品か否かを判定する。
【００６７】
認証判定部５０２が、光ディスク１ａに対する認証が成立し、光ディスク１ａを正規品と判定する場合、ステップＳ２５において、処理部５０の再生部５０３は、光ピックアップ５１により、光ディスク１のデータ層（２１，２２）に記録され、暗号化されたデータを読み取り、鍵情報取得部５０５が取得した鍵情報を用いて復号し、再生する。光ディスク１ａに対する認証が成立せず、ステップＳ２４において、光ディスク１を正規品でないと判定する場合、処理を終了する。
【００６８】
第２の実施の形態に係る光ディスク１ａの再生装置５ａによれば、鍵情報が記録された鍵領域の位置を示す情報を読み出し、光ピックアップ５１の移動するため、規則性や連続性のないダミーピット２３が形成され、通常の光ピックアップ５１によってトラッキング走査することができない表示領域Ａに挟まれた（囲まれた）領域に記録された鍵情報を読み出すことができる。
【００６９】
また、第２の実施の形態に係る光ディスク１ａの再生装置５ａによれば、光ディスク１ａの表示領域Ａ内の一部に記録された鍵情報に応じて、再生の可否を判定し、暗号化されたデータを復号して再生するので、光ディスク１の複製防止に寄与することができる。
【００７０】
（その他の実施の形態）
上記のように、本発明は第１及び第２の実施の形態によって記載したが、この開示の一部をなす論述及び図面は本発明を限定するものであると理解すべきではない。この開示から当業者には様々な代替実施の形態、実施例及び運用技術が明らかとなろう。
【００７１】
既に述べた第１の実施の形態においては、表示パターン２４を画像コードとし、イメージセンサ５４を各種コードリーダとして機能させるようにしても良い。画像コードは、データ・マトリクス，ＱＲコード，ＰＤＦ４１７，マキシコード、ベリコード等の二次元コード、ＪＡＮ、ＩＴＦ、ＣＯＤＥ３９、ＮＷ−７、ＣＯＤＥ１２８等の一次元コード、１．５次元バーコードのような一次元コードを二次元コード的に積み重ねたスタックバーコード等、種々の規格のコードを採用可能である。
【００７２】
また、表示パターン２４に鍵情報を記録し、表示パターン２４に記録された鍵情報により復号可能な方式で暗号化されたデータを、データ層（１１，１２）に記録するようにしても良い。
【００７３】
既に述べた第１及び第２の実施の形態においては、表示層（２１，２２）の表示領域Ａは、ダミーピット２３の分布により視認可能に形成される所謂ピットアートにより形成されても良い。この場合、表示領域Ａのピットアートを、すべてＣＡＶ（角速度一定）方式で記録することにより、ピットアートからなる表示パターンを、光ピックアップを用いて走査することができる。
【００７４】
また、表示層（２１，２２）にダミーピット２３を設けず、鏡面反射を生じさせる表示層基板２１に表示パターン２４を成形するように、レーザマーカ６２により、ピット成形部４３を有さないスタンパ４２にパターンを書き込むようにしても良い。
【００７５】
また、表示パターン２４は、レーザマーカ６２による書き込みに限るものでなく、スタンパ４２にマスクし、エッチングを行うことにより形成されるパターンや、フォトレジスト膜４１に、参照光と、所定のパターンの光とを照射することにより生じる干渉から形成されるホログラム等としても良く、或いは、これらの組み合わせから形成されても良い。
【００７６】
また、再生装置５，５ａの認証判定部５０２が保持する認証情報は、認証判定部５０２により、ネットワークを経由して取得されるようにしても良い。  
また、表示層反射膜２２、データ層反射膜１２は、表示パターン２４がデータ層（１１，１２）を介して視認可能であり、光ディスク１，１ａに記録されるデータが光ピックアップ５１により読み取り可能である限り、それぞれ、Ａｌ、Ａｇ等を含む合金等から構成されても良い。
【００７７】
上記の他、第１及び第２の実施の形態を組み合わせて応用した構成等、本発明はここでは記載していない様々な実施の形態等を含むことは勿論である。したがって、本発明の技術的範囲は上記の説明から妥当な特許請求の範囲に係る発明特定事項によってのみ定められるものである。
【００７８】
また、ＤＶＤ−ＲＯＭやＢＤ−ＲＯＭ等の記録ピットによってデータが記録済みのＲＯＭディスクを例に説明したが、周知のＤＶＤ−ＲやＢＤ−Ｒなどの追記型ディスクや、ＤＶＤ−ＲＷやＢＤ−ＲＥなどの書き換え型ディスクであってもよい。その場合は、データ層反射膜とデータ層基板との間に、色素や相変化材料等による記録膜を設ければよい。また、データ層基板には、グルーブを設ければよい。追記型ディスクや書き換え型ディスクの場合、ピットの代わりに、記録膜にレーザでマークを付すことによってデータを記録する。
【符号の説明】
【００７９】
１，１ａ…光ディスク
５…再生装置
５ａ…再生装置
１１…データ層基板
１２…データ層反射膜
１３…記録ピット
１５，２５…ランド部
２１…表示層基板
２２…表示層反射膜
２３…ダミーピット
２４…表示パターン
３０…中間層
３１…印刷層
４０…ガラス基板
４１…フォトレジスト膜
４２…スタンパ
４３…ピット成形部
４４…表示パターン成形部
４５…ランド成形部
５０，５０ａ…処理部
５１…光ピックアップ
５２…駆動制御部
５３…スピンドルモータ
５４…イメージセンサ
６１…レーザビームレコーダ
６２…レーザマーカ
５０１…パターン情報取得部
５０２…認証判定部
５０３…再生部
５０４…鍵位置情報取得部
５０５…鍵情報取得部
【図１】
0005364085.tif 000002
【図２】
0005364085.tif 000003
【図３】
0005364085.tif 000004
【図４】
0005364085.tif 000005
【図５】
0005364085.tif 000006
【図６】
0005364085.tif 000007
【図７】
0005364085.tif 000008
【図８】
0005364085.tif 000009
【図９】
0005364085.tif 000010
【図１０】
0005364085.tif 000011
【図１１】
0005364085.tif 000012
【図１２】
0005364085.tif 000013
【図１３】
0005364085.tif 000014